(57)【特許請求の範囲】
【請求項１】
中間パイロット系列群を選択するステップと、
中間パイロットサブキャリアの合併集合を確立するステップと、
基地局が、中間パイロット伝送用のOFDMＡ又はOFDMシンボルにおいて、変調された中間パイロット系列群の中の中間パイロット系列を各送信アンテナに対応する中間パイロットサブキャリアの合併集合における中間パイロットサブキャリアにマッピングし、又は、基地局が、中間パイロット伝送用のOFDMＡ又はOFDMシンボルにおいて、中間パイロット系列群の中の中間パイロット系列を各送信アンテナに対応する中間パイロットサブキャリアの合併集合における中間パイロットサブキャリアにマッピングした後、サブキャリア上のデータを変調するステップと、
を含むことを特徴とする中間パイロットの送信方法。
【請求項２】
前記中間パイロットサブキャリアの合併集合を確立するステップにおいて、
【数１】
0005663012.tif 000167
ことを特徴とする請求項１に記載の方法。
【請求項３】
【数２】
0005663012.tif 000168
ことを特徴とする請求項２に記載の方法。
【請求項４】
前記中間パイロット系列が2進数系列であることを特徴とする請求項１に記載の方法。
【請求項５】
中間パイロット系列を16進数で表している場合、16進数の中間パイロット系列を、伝送しようとする前記2進数中間パイロット系列に変換するステップを更に含むことを特徴とする請求項４に記載の方法。
【請求項６】
前記変調は、系列の中のエレメント0を1に変調し、系列の中のエレメント1を-1に変調し、又は系列の中のエレメント0を-1に変調し、系列の中のエレメント1を1に変調することであることを特徴とする請求項１に記載の方法。
【請求項７】
未変調又は変調後の中間パイロット系列ｂｎｂｎ−１・・・ｂ０を、最高有効エレメントｂｎから最低有効エレメントｂ０の順で、各送信アンテナに対応しアップ順に配列された中間パイロットサブキャリアにマッピングし、
その中、ｂｎはインデックスが最小の中間パイロットサブキャリア又はインデックスが最大の中間パイロットサブキャリアにマッピングされることを特徴とする請求項6に記載の方法。
【請求項８】
【数３】
0005663012.tif 000169
その中、０≦ｎ≦ＮＴｘ−１で、Δは各送信アンテナにおける隣り合う中間パイロットサブキャリアの間隔で、ＮＴｘは送信アンテナの個数で、Ｐは各送信アンテナが中間パイロットシンボルにて用いる中間パイロットサブキャリアの個数で、ｏｆｆｓｅｔは無線通信ネットワーク構成要素に対応する特定のオフセットサブキャリア数で、整数であって、ＮｕｓｅｄはOFDMＡ又はOFDMシステムにおけるガードバンドサブキャリアを除くサブキャリアの個数で、その中、ｏｆｆｓｅｔは無線通信ネットワーク構成要素のインデックス、周波数分割多重化要素の中の少なくとも一つによって確定される
ことを特徴とする請求項２に記載の方法。
【請求項９】
無線通信ネットワーク構成要素に対応する送信アンテナ数、システム帯域幅、システムのサブキャリア数、システムの離散フーリエ変換ポイント数、無線通信ネットワーク構成要素のインデックスの中の少なくとも一つによって無線通信ネットワーク構成要素に対応する2進数中間パイロット系列が所属する中間パイロット系列群を確定し、
無線通信ネットワーク構成要素インデックスと、無線通信ネットワーク構成要素インデックスに対応する中間パイロット系列が所属する所定の系列群が含む一部又は全部の系列数によって無線通信ネットワーク構成要素に対応する、伝送しようとする2進数中間パイロット系列の、その所属する中間パイロット系列群におけるインデックスを確定することを特徴とする請求項１に記載の方法。
【請求項１０】
前記無線通信ネットワーク構成要素が、セル、基地局、セクタ、セグメントの中の少なくとも一つを含むことを特徴とする請求項９に記載の方法。
【請求項１１】
伝送しようとする前記中間パイロット系列の、その所属する中間パイロット系列群におけるインデックスＩが、
【数４】
0005663012.tif 000170
の中の一つであり、その中、ＭａｘＳｅｑＮｕｍ＋１は、基地局又はセル又はセクタが所属する中間パイロット系列群が含む一部又は全部の系列の個数であることを特徴とする請求項９に記載の方法。
【請求項１２】
変調及びマッピングを完成した後、第ｎ個の送信アンテナに対応するOFDMＡシンボルのサブキャリア上のデータが、
【数５】
0005663012.tif 000171
ことを特徴とする請求項1又は8に記載の方法。
【請求項１３】
【数６】
0005663012.tif 000172
の中の少なくとも一つによって前記中間パイロット系列群を生成することを特徴とする請求項１に記載の方法。
【請求項１４】
【数７】
0005663012.tif 000173
ことを特徴とする請求項１３に記載の方法。
【請求項１５】
【数８】
0005663012.tif 000174
の中の少なくとも一つによって前記中間パイロット系列群を生成する、
ことを特徴とする請求項1に記載の方法。
【請求項１６】
Ｎ（Ｎはシステムのサブキャリア数又は離散フーリエ変換ポイント数である）個のサブキャリアにおける他のＮ−Ｎｕｓｅｄ個のサブキャリアを、アイドル状態に設定することを特徴とする請求項１から５のいずれか１項記載の方法。
【請求項１７】
変調後の系列に対してパワー/幅度のブースティング（Boosting）を行うステップを更に含むことを特徴とする請求項1に記載の方法。
【請求項１８】
前記無線通信ネットワーク構成要素が、セル、基地局、セクタ、セグメントの中の少なくとも一つを含み、
前記中間パイロット系列群を選択するステップにおいて、具体的に、
無線通信ネットワーク構成要素の送信アンテナの個数、システムが利用するシステム帯域幅、システムのサブキャリア数、システムの離散フーリエ変換ポイント数、無線通信ネットワーク構成要素のインデックスの中の少なくとも一つを含む第1の所定要素に基づいて、予め設定された複数の中間パイロット系列群から一つの中間パイロット系列群を選択するステップと、
無線通信ネットワーク構成要素のインデックス、無線通信ネットワーク構成要素に対応する中間パイロット系列が所属する所定の系列群が含む一部又は全部の系列数の中の少なくとも一つを含む第2の所定要素に基づいて、選択した前記中間パイロット系列群から伝送しようとする前記中間パイロット系列を選択するステップを含むことを特徴とする請求項1に記載の方法。
【請求項１９】
伝送しようとする前記中間パイロット系列のインデックスIが、
【数９】
0005663012.tif 000175
（その中、ＭａｘＳｅｑＮｕｍ＋１は無線通信ネットワーク構成要素が所属する中間パイロット系列群が含む一部又は全部の系列の個数で、BSIDは基地局のインデックスで、Cell ID又はSegment IDはセル又はセクタインデックスである）
の中のいずれか一つを含むことを特徴とする請求項１８に記載の方法。
【請求項２０】
前記無線通信ネットワーク構成要素が、セル、基地局、セクタ、セグメントの中の少なくとも一つを含み、
前記中間パイロット系列群を選択するステップにおいて、具体的に、
無線通信ネットワーク構成要素に対応する送信アンテナ数、システム帯域幅、システムのサブキャリア数、システムの離散フーリエ変換ポイント数の中の少なくとも一つによって、無線通信ネットワーク構成要素に対応する伝送しようとする中間パイロット系列が所属する中間パイロット系列群を確定するステップと、
無線通信ネットワーク構成要素インデックスと、無線通信ネットワーク構成要素に対応する中間パイロット系列が所属する所定の系列群が含む一部又は全部の系列数によって、無線通信ネットワーク構成要素に対応する伝送しようとする中間パイロット系列の、その所属する中間パイロット系列群におけるインデックスを確定するステップとを含むことを特徴とする請求項１に記載の方法。
【請求項２１】
【数１０】
0005663012.tif 000176
によって中間パイロット系列群を生成する、
ことを特徴とする請求項１８または２０に記載の方法。
【請求項２２】
【数１１】
0005663012.tif 000177
の中の少なくとも一つによって中間パイロット系列群を生成することを特徴とする請求項１８または２０に記載の方法。
【発明の詳細な説明】
【技術分野】
【０００１】
本発明は、通信分野に関し、具体的に、中間パイロットの送信方法に関する。
【背景技術】
【０００２】
無線通信分野において、通信システムの性能を向上させ、絶えずに増加しているユーザのデータサービス需要を満足するため、直交周波数分割多重伝送（Orthogonal Frequency Division Multiplexing、以下OFDMと略称）及び多入力多出力（Multiple-Input Multiple-Output、以下MIMOと略称）を導入した。
【０００３】
伝送中において、伝送品質を更に向上させるため、先ず、MIMOをコーディングした後のデータストリームとパイロットをプリコーディングし、その後、異なるアンテナにマッピングして伝送する。このようにして、専用のパイロットが現れた。専用パイロットモードであるMIMOシステムにおいて、チャンネル推定によって得られたのはプリコーディング後の等効チャンネルであるが、チャンネルの真実状況をフィードバックする必要のあるシステムの場合、等効チャンネルを真実チャンネルに変換しなければならなく、等効チャンネルを真実チャンネルに変換するプロセスは、複雑であって、更に実現できないこともある。又、一定の時間内に如何なるデータ伝送もない端末において、チャンネルの真実状況を周期的に取得することができない。従って、システムのフィードバックの需要を満足するように、現在のチャンネル真実状況を測定する必要がある。
【０００４】
中間パイロット系列とは、1ダウンリンク無線リソースフレームにおける1特定のOFDMシンボル（図1）には特定のパイロット系列を挿入することを指し、通常の専用パイロットと相違し、受信端末でチャンネル測定を行うように、プリコーディング処理を行わない。中間パイロットを用いると、全般シンボル上の全てのキャリア位置のチャンネルを推定することができ、それによって、送信端末において、現在のチャンネル状況に応じて高効率の伝送策略を合理的に採用することができる。無線通信システムにおいて、中間パイロットを合理的に用いてチャンネルの真実状況を測定して、チャンネル品質情報（Channel Quality Indication、以下CQIと略称）と、プリコーディングマトリックスインデックス（Pre-code Matrix Indication、以下PMIと略称）と、チャンネルのランクインディケーション（Rank Indication、以下RIと略称)とを正確にフィードバックすることは、システムの伝送効率を向上させることに対して、極めて重要の作用を果たしている。
【０００５】
直交周波数分割システムは、マルチキャリアシステムで、周波数領域変調の異なる系列はその時間領域シンボルのビーク対平均電力比（PAPR）に影響を与えることになるので、システムのパワーアンプの効率に影響し、又、変調される中間パイロット系列に対応するPAPRが大きすぎると、送信端末は非線形処理を行ってしまし、受信端末のチャンネル推定の精度に影響を与え、最終的にユーザのダウンリンクの性能に影響を与えてしまう。一方、隣接する複数のセルの同一のサブフレームの同じOFDMシンボルで中間パイロット系列を送信するので、互いに干渉する可能性があり、端末で同時にサービング基地局と隣り合う基地局の中間パイロット信号を受信してしまうことがある。中間パイロット系列の合理的な設計及び送信に関し、まだ有効な提案も提出されていない。
【０００６】
本発明の実現中において、発明者は、従来の技術に、中間パイロットの送信中にパイロットシンボルが周波数領域にて周期性を有しているので、ユーザデータのダウンリンク性能に影響を与える問題が存在していることを発見した。
【発明の開示】
【発明が解決しようとする課題】
【０００７】
本発明は、関連技術において、パイロットシンボルが周波数領域に周期性を有するので、ユーザデータのダウンリンク性能に影響を与える問題に鑑みてなされたものである。
【課題を解決するための手段】
【０００８】
本発明の一方面によると、中間パイロット系列群を選択するステップと、中間パイロットサブキャリアの合併集合を確立するステップと、基地局が中間パイロット伝送用のOFDMＡ又はOFDMシンボルにおいて、変調された中間パイロット系列群の中の中間パイロット系列を各送信アンテナに対応する中間パイロットサブキャリアの合併集合における中間パイロットサブキャリアにマッピングし、又は、基地局が中間パイロット伝送用のOFDMＡ又はOFDMシンボルにおいて、中間パイロット系列群の中の中間パイロット系列を各送信アンテナに対応する中間パイロットサブキャリアの合併集合における中間パイロットサブキャリアにマッピングした後、サブキャリア上のデータを変調するステップと、を含む中間パイロットの送信方法を提供する。
【０００９】
【数１】
0005663012.tif 000002
【００１０】
【数２】
0005663012.tif 000003
【００１１】
中間パイロット系列が2進数系列であることが好ましい。また、上記の方法は、中間パイロット系列を16進数で表していると、16進数の中間パイロット系列を伝送しようとする2進数中間パイロット系列に変換するステップを更に含む。
【００１２】
変調は、系列の中のエレメント0を1に変調し、系列の中のエレメント1を-1に変調し、又は系列の中のエレメント0を-1に変調し、系列の中のエレメント1を1に変調することであることが好ましい。
【００１３】
【数３】
0005663012.tif 000004
【００１４】
【数４】
0005663012.tif 000005
【００１５】
無線通信ネットワーク構成要素に対応する送信アンテナ数、システム帯域幅、システムのサブキャリア数、システムの離散フーリエ変換ポイント数、無線通信ネットワーク構成要素のインデックスの中の少なくとも一つにより無線通信ネットワーク構成要素に対応する2進数中間パイロット系列が所属する中間パイロット系列群を確定し、無線通信ネットワーク構成要素インデックスと、無線通信ネットワーク構成要素インデックスに対応する中間パイロット系列が所属する所定系列群が含む一部又は全部の系列数により無線通信ネットワーク構成要素に対応する伝送しようとする2進数中間パイロット系列の、その所属する中間パイロット系列群におけるインデックスを確定することが好ましい。
【００１６】
無線通信ネットワーク構成要素が、セル、基地局、セクタ、セグメントの中の少なくとも一つを含むことが好ましい。
【００１７】
【数５】
0005663012.tif 000006
【００１８】
【数６】
0005663012.tif 000007
【００１９】
【数７】
0005663012.tif 000008
【００２０】
【数８】
0005663012.tif 000009
【００２１】
【数９】
0005663012.tif 000010
【００２２】
Ｎ（Ｎはシステムのサブキャリア数又は離散フーリエ変換ポイント数である）個のサブキャリアにおける他のＮ−Ｎｕｓｅｄ個のサブキャリアを、アイドル状態に設定することが好ましい。
【００２３】
上記方法が、変調後の系列にパワー/幅度ブースティング（Boosting）を行うステップを更に含むことが好ましい。
【００２４】
無線通信ネットワーク構成要素が、セル、基地局、セクタ、セグメントの中の少なくとも一つを含み、前記中間パイロット系列群を選択するステップにおいて、具体的に、無線通信ネットワーク構成要素の送信アンテナの個数、システムが利用するシステム帯域幅、システムのサブキャリア数、システムの離散フーリエ変換ポイント数、無線通信ネットワーク構成要素のインデックスの中の少なくとも一つを含む第1の所定要素に基づいて、予め設定された複数の中間パイロット系列群から一つの中間パイロット系列群を選択するステップと、
無線通信ネットワーク構成要素のインデックス、無線通信ネットワーク構成要素に対応する中間パイロット系列が所属する所定の系列群が含む一部又は全部の系列数の中の少なくとも一つを含む第2の所定要素に基づいて、選択した中間パイロット系列群から伝送しようとする中間パイロット系列を選択するステップを含むことが好ましい。
【００２５】
【数１０】
0005663012.tif 000011
【００２６】
無線通信ネットワーク構成要素が、セル、基地局、セクタ、セグメントの中の少なくとも一つを含み、中間パイロット系列群を選択するステップにおいて、具体的に、
無線通信ネットワーク構成要素に対応する送信アンテナ数、システム帯域幅、システムのサブキャリア数、システムの離散フーリエ変換ポイント数の中の少なくとも一つによって、無線通信ネットワーク構成要素に対応する伝送しようとする中間パイロット系列が所属する中間パイロット系列群を確定するステップと、
無線通信ネットワーク構成要素インデックスと、無線通信ネットワーク構成要素に対応する中間パイロット系列が所属する所定の系列群が含む一部又は全部の系列数によって、無線通信ネットワーク構成要素に対応する伝送しようとする中間パイロット系列の、その所属する中間パイロット系列群におけるインデックスを確定するステップとを含むことが好ましい。
【００２７】
【数１１】
0005663012.tif 000012
【００２８】
【数１２】
0005663012.tif 000013
【００２９】
【数１３】
0005663012.tif 000014
【００３０】
【数１４】
0005663012.tif 000015
【発明の効果】
【００３１】
本発明の実施例に提供される方法によると、周波数領域におけるパイロットシンボルの相関性を防止でき、ダウンリンクの性能を向上できる。そして、本発明の中間パイロット系列群の生成方法と確定方法を結合すると、中間パイロット系列は低いピーク対平均電力比と負相関性を持つと共に、本発明の条件を満たす一部の利用可能のサブキャリアを伝送用の中間パイロット系列と設定することによって、セル干渉を低減し、チャンネル推定の精度を向上できる。
【００３２】
本発明の他の特徴及びメリットは明細書において説明し、明細書からさらに明確になり、又は本発明を実施することによって把握できる。本発明の目の及び他のメリットは、明細書、特許請求の範囲、図面に特別に示された構造によって実現することができる。
【００３３】
ここで説明する図面は、本発明を理解させるためのもので、本発明の一部を構成し、本発明における実施例と共に本発明を解釈し、本発明を不当に限定するのではない。
【図面の簡単な説明】
【００３４】
【図１】関連技術に係わる中間パイロット時間領域におけるシンボルの構造を示す図である。
【図２】本発明の実施例に係わる第1種類の二つの送信アンテナの中間パイロットシンボルの周波数領域におけるサブキャリアを示す図である。
【図３】本発明の実施例に係わる四つの送信アンテナの中間パイロットシンボルの周波数領域におけるサブキャリアを示す図である。
【図４】本発明の実施例に係わる八個の送信アンテナの中間パイロットシンボルの周波数領域におけるサブキャリアを示す図である。
【図５】本発明の実施例に係わる第2種類の二つの送信アンテナの中間パイロットシンボルの周波数領域におけるサブキャリアを示す図である。
【図６】本発明の実施例に係わる第2種類の四つの送信アンテナの中間パイロットシンボルの周波数領域におけるサブキャリアを示す図である。
【図７】本発明の実施例に係わる第2種類の八個の送信アンテナの中間パイロットシンボルの周波数領域におけるサブキャリアを示す図である。
【発明を実施するための形態】
【００３５】
説明のフォーマット要求を満たすため、明細書と図面との対応関係を以下のように規定する。
明細書における「Ｎｓｔａｒｔ」は図面における「Nから始め」に対応し、
明細書における「Ｏｆｆｓｅｔ」は図面における「偏移」に対応する。
以下、図面を結合して本発明の好適な実施例を説明する。ここで、これらの好適な実施例は本発明を説明・解釈するためのもので、本発明はこれらに限定されない。
【００３６】
本発明の実施例によると、送信端末の各アンテナポートのOFDMシンボルが時間領域にて極めて小さいPAPR値を有することによってシステムパワーを節約でき、端末のチャンネル推定の精度を向上できる中間パイロット系列の設計案及び中間パイロット系列の送信案を提供する。また、本発明の実施例において、各セル又はセクタ又は基地局に対してＮｕｓｅｄ−１個のキャリアを用いて対応する全ての中間パイロット系列を搬送し、隣接するセル又は基地局又はセクタは、異なる中間パイロット系列を用いて、且つ対応する中間パイロットシンボル（即ち、ユーザが中間パイロット系列を送信する中間パイロットサブキャリアのシンボルを含む）は、時間領域において低い相互相関係数を有することによって、隣接するセル間の干渉を低減させ、チャンネル推定の精度を向上させる。各セル又はセクタ又は基地局に対して（Ｎｕｓｅｄ−１）／３個のキャリアを用いて対応する全ての中間パイロット系列を搬送する場合、対応する中間パイロットシンボル（即ち、ユーザが中間パイロット系列を送信する中間パイロットサブキャリアのシンボルを含む）のピーク対平均電力比は低い。
【００３７】
本発明の実施例において、中間パイロットシンボルとは、ダウンリンク無線フレーム構造における一つの特定のOFDMシンボルを指し、中間パイロット系列の伝送に用いられ、且つ該OFDMシンボルはデータを伝送せず、該パイロットデータに対してプリコーディング処理を行わない。中間パイロットキャリアは、OFDMシンボルの全般に分布されている。中間パイロットは、ダウンリンクチャンネル係数が得られるように端末のチャンネル測定に用いられ、開ループＭＩＭＯ（Multi Input Multi Output：多入力多出力）において、中間パイロットはチャンネル品質インディケーション（Channel Quality Indication、以下CQIと略称）の推定に用いられ、閉ループＭＩＭＯにおいて、中間パイロットはプリコーディングマトリックスインデックス（PMI）の演算に用いられる。
【００３８】
本発明によると、中間パイロットの送信方法が提供される。該方法は、中間パイロット系列群を選択するステップと、中間パイロットサブキャリアの合併集合（Union）を確立するステップと、基地局が中間パイロット伝送用のOFDMＡ又はOFDMシンボルにおいて、中間パイロット系列群の中の中間パイロット系列を変調後に各送信アンテナに対応する中間パイロットサブキャリアの合併集合における中間パイロットサブキャリアにマッピングし、又は、基地局が中間パイロット伝送用のOFDMＡ又はOFDMシンボルにおいて、中間パイロット系列群の中の中間パイロット系列を各送信アンテナに対応する中間パイロットサブキャリアの合併集合における中間パイロットサブキャリアにマッピングし、その後、サブキャリア上のデータを変調するステップを含む。各送信アンテナに対応する中間パイロットサブキャリアに異なるパイロット系列を対応させることによって、周波数領域におけるパイロットシンボルの相関性を避けることができ、ダウンリンクの性能を向上できる。以下、各実施例によって各ステップを詳しく説明する。
【００３９】
中間パイロット系列群の生成方法
本発明の実施例に用いられる中間パイロット系列を、予め設定された中間パイロット系列群から選択することが好ましく、本発明の実施例において、以下の二つの中間パイロット系列群の生成方法を提供する。本発明がこれらに限定されないことは言うまでもない。
【００４０】
方式1：以下のステップによって中間パイロット系列群を生成する。
【００４１】
【数１５】
0005663012.tif 000016
【００４２】
【数１６】
0005663012.tif 000017
【００４３】
当該方法によって生成された中間パイロット系列群は表1〜表5に示された通りである。
【００４４】
【数１７】
0005663012.tif 000018
【００４５】
【数１８】
0005663012.tif 000019
【００４６】
当該方法によって生成された中間パイロット系列群は表6〜表10に示されている。
【００４７】
ここで、任意の系列生成方式によって系列群を生成した後、生成された系列群から系列を選択して中間パイロット系列とすることができる。上記の表1〜表10の中のいずれかから選択することができる。そして、以下の表はその例に過ぎず、実施の需要に応じて、表における系列とCell IDの対応関係を調整することができ、表中のエレメントを削除したり追加したりすることもできる。例えば、以下の表における一部のエレメントだけを中間パイロット系列群としても本発明の保護範囲内である。
【００４８】
中間パイロット系列の確定方法
本発明によると、中間パイロット系列の確定方法を提供する。当該確定方法は、
無線通信ネットワーク構成要素の送信アンテナの個数と、システムが利用したシステム帯域幅と、システムのサブキャリア数と、システムの離散フーリエ変換ポイント数と、無線通信ネットワーク構成要素のインデックスの中の少なくとも一つを含む第1の予定要素に基づいて、予め設定された複数の中間パイロット系列群から一つの中間パイロット系列群を選択するステップと、
無線通信ネットワーク構成要素のインデックスと、無線通信ネットワーク構成要素に対応する中間パイロット系列が所属する予定系列群が含む一部又は全部の系列数の中の少なくとも一つを含む第2の予定要素に基づいて、選択された中間パイロット系列群から伝送しようとする中間パイロット系列を選択するステップ
を含む。
【００４９】
本発明によると、次のような中間パイロット系列の確定方法を提供する。当該確定方法は、
無線通信ネットワーク構成要素に対応する送信アンテナ数と、システム帯域幅と、システムのサブキャリア数と、システムの離散フーリエ変換ポイント数の中の少なくとも一つによって無線通信ネットワーク構成要素に対応する伝送しようとする中間パイロット系列が所属する中間パイロット系列群を確定するステップと、
無線通信ネットワーク構成要素インデックスと、無線通信ネットワーク構成要素に対応する中間パイロット系列が所属する予定の系列群に含まれる一部又は全部の系列数によって、無線通信ネットワーク構成要素に対応する伝送しようとする中間パイロット系列の、その所属する中間パイロット系列群におけるインデックスを確定するステップを含む。その中、無線通信ネットワーク構成要素は、セル、基地局、セクタ、セグメントの中の少なくとも一つを含む。
【００５０】
実施例1〜実施例5は、上記の系列生成方式1によって生成された5個の系列群で、その中、各系列群に含まれる系列個数がＳ=342であると設定したが、他のＳ値を取っても構わない。
【００５１】
実施例1
表1は、長さが54の系列からなる群で、該群は合計768個の系列を含み、各系列の夫々のエレメントは16進数で、4ビットの2進数ビット（0と1）を表し、且つハイビットは左側に、ロービットは右側に位置する。その中、各系列の最後二つの2進数シンボルは0、0で、変調の際、該最後の二つの2進数シンボルが除去される。該系列群の一部又は全部の系列は、離散フーリエ変換ポイント数がＮＦＦＴ＝５１２で、且つ送信アンテナ数がＮＴｘ＝８であるシステムに用いられ、中間パイロット系列とされる。その中、各無線通信ネットワーク構成要素の全てのアンテナに対応する中間パイロットは合計432個のサブキャリアを占める。ここでの無線通信ネットワーク構成要素は、基地局、セクタ、セル、セグメントの中の一つ又は複数であることができる。
【００５２】
実施例2
表2は、長さが108である系列からなる群で、該群は合計342個の系列を含み、各系列の各エレメントはいずれも16進数で、4ビットの2進数（0と1）を表し、且つハイビットは左側に、ロービットは右側に位置する。該系列群の一部又は全部の系列は、次の3種類のシステムにおける少なくとも一つに用いられて中間パイロット系列とする。
【００５３】
システム1：離散フーリエ変換ポイント数がＮＦＦＴ＝５１２で、送信アンテナ数がＮＴｘ＝２である。その中、各無線通信ネットワーク構成要素の全てのアンテナに対応する中間パイロットが合計216個のサブキャリアを占める。
【００５４】
システム2：離散フーリエ変換ポイント数がＮＦＦＴ＝５１２で、送信アンテナ数がＮＴｘ＝４である。その中、各無線通信ネットワーク構成要素の全てのアンテナに対応する中間パイロットが合計432個のサブキャリアを占める。
【００５５】
システム3：離散フーリエ変換ポイント数がＮＦＦＴ＝１０２４で、送信アンテナ数がＮＴｘ＝８である。その中、各無線通信ネットワーク構成要素の全てのアンテナに対応する中間パイロットが合計864個のサブキャリアを占める。
【００５６】
実施例3
表3は、長さが216である系列からなる群で、該群は合計342個の系列を含み、各系列に一つの特定の基地局が付与される。各系列の各エレメントはいずれも16進数で、4ビットの2進数（0と1）を表し、且つハイビットは左側に、ロービットは右側に位置する。該群の一部又は全部系列は以下の4種類のシステムの中の少なくとも一つに用いられる。
【００５７】
システム1：離散フーリエ変換ポイント数がＮＦＦＴ＝５１２で、送信アンテナ数がＮＴｘ＝２である。その中、各無線通信ネットワーク構成要素の全てのアンテナに対応する中間パイロットが合計432個のサブキャリアを占める。
【００５８】
システム2：離散フーリエ変換ポイント数がＮＦＦＴ＝１０２４で、送信アンテナ数がＮＴｘ＝２である。その中、各無線通信ネットワーク構成要素の全てのアンテナに対応する中間パイロットが合計864個のサブキャリアを占める。
【００５９】
システム3：離散フーリエ変換ポイント数がＮＦＦＴ＝１０２４で、送信アンテナ数がＮＴｘ＝４である。その中、各無線通信ネットワーク構成要素の全てのアンテナに対応する中間パイロットが合計432個のサブキャリアを占める。
【００６０】
システム4：離散フーリエ変換ポイント数がＮＦＦＴ＝２０４８で、送信アンテナ数がＮＴｘ＝８である。その中、各無線通信ネットワーク構成要素の全てのアンテナに対応する中間パイロットが合計1728個のサブキャリアを占める。
【００６１】
実施例4
表4は、長さが432である系列からなる群で、該群は合計342個の系列を含む。各系列の各エレメントはいずれも16進数で、4ビットの2進数（0と1）を表する。該群の一部又は全部の系列は以下の3種類のシステムの中の少なくとも一つに用いられる。
【００６２】
システム1：離散フーリエ変換ポイント数がＮＦＦＴ＝１０２４で、送信アンテナ数がＮＴｘ＝２である。その中、各無線通信ネットワーク構成要素の全てのアンテナに対応する中間パイロットが合計864個のサブキャリアを占める。
【００６３】
システム2：離散フーリエ変換ポイント数がＮＦＦＴ＝２０４８で、送信アンテナ数がＮＴｘ＝２である。その中、各無線通信ネットワーク構成要素の全てのアンテナに対応する中間パイロットが合計864個のサブキャリアを占める。
【００６４】
システム3：離散フーリエ変換ポイント数がＮＦＦＴ＝２０４８で、送信アンテナ数がＮＴｘ＝４である。その中、各無線通信ネットワーク構成要素の全てのアンテナに対応する中間パイロットが合計1728個のサブキャリアを占める。
【００６５】
実施例5
表5は、長さが864である系列からなる群で、該群は合計342個の系列を含み、各系列の各エレメントはいずれも16進数で、4ビットの2進数（0と1）を表し、且つハイビットは左側に、ロービットは右側に位置する。該系列群の一部又は全部の系列は、離散フーリエ変換ポイント数がＮＦＦＴ＝２０４８で、且つ送信アンテナ数がＮＴｘ＝２であるシステムに用いられ、中間パイロット系列とされる。その中、各無線通信ネットワーク構成要素の全てのアンテナに対応する中間パイロットは合計1728個のサブキャリアを占める。
【００６６】
実施例6〜実施例10は、上記の系列生成方式2によって生成された5個の系列群で、その中、各系列群が含む系列個数をＳ=768と設定しているが、他のＳ値を取っても構わない。
【００６７】
実施例6
表6は、長さが18である系列からなる群で、該群は合計512個の系列を含み、各系列の各エレメントは16進数で、4ビットの2進数（0と1）を表し、且つハイビットは左側に、ロービットは右側に位置する。その中、各系列の最後の二つの2進数シンボルは0、0で、変調する際、該最後の二つの2進数シンボルは除去される。該系列群の一部又は全部の系列は、離散フーリエ変換ポイント数がＮＦＦＴ＝５１２で、送信アンテナ数がＮＴｘ＝８であるシステムに用いられ、中間パイロット系列とされる。その中、各無線通信ネットワーク構成要素の全てのアンテナに対応する中間パイロットは合計144個のサブキャリアを占める。
【００６８】
実施例7
表7は、長さが36である系列からなる群で、該群は合計512個の系列を含み、各系列の各エレメントはいずれも16進数で、4ビットの2進数（0と1）を表し、且つハイビットは左側に、ロービットは右側に位置する。該系列は、次のような3種類のシステムの中の少なくとも一つに用いられて中間パイロット系列とされる。
【００６９】
システム1：離散フーリエ変換ポイント数がＮＦＦＴ＝５１２で、送信アンテナ数がＮＴｘ＝４である。その中、各無線通信ネットワーク構成要素の全てのアンテナに対応する中間パイロットが合計144個のサブキャリアを占める。
【００７０】
システム2：離散フーリエ変換ポイント数がＮＦＦＴ＝１０２４で、送信アンテナ数がＮＴｘ＝８である。その中、各無線通信ネットワーク構成要素の全てのアンテナに対応する中間パイロットが合計288個のサブキャリアを占める。
【００７１】
実施例8
表8は、長さが72である系列からなる群で、該群は合計114個の系列を含み、各系列には一つの特定の基地局が付与される。各系列の各エレメントはいずれも16進数で、4ビットの2進数（0と1）を表し、且つハイビットは左側に、ロービットは右側に位置する。該系列は次のような幾つかのシステムの中の少なくとも一つに用いられ中間パイロット系列とされる。
【００７２】
システム1：離散フーリエ変換ポイント数がＮＦＦＴ＝５１２で、送信アンテナ数がＮＴｘ＝２である。その中、各無線通信ネットワーク構成要素の全てのアンテナに対応する中間パイロットが合計144個のサブキャリアを占める。
【００７３】
システム2：離散フーリエ変換ポイント数がＮＦＦＴ＝１０２４で、送信アンテナ数がＮＴｘ＝４である。その中、各無線通信ネットワーク構成要素の全てのアンテナに対応する中間パイロットが合計288個のサブキャリアを占める。
【００７４】
システム3：離散フーリエ変換ポイント数がＮＦＦＴ＝２０４８で、送信アンテナ数がＮＴｘ＝８である。その中、各無線通信ネットワーク構成要素の全てのアンテナに対応する中間パイロットが合計576個のサブキャリアを占める。
【００７５】
実施例9
表9は、長さが144である系列からなる群で、該群は合計512個の系列を含み、各系列には一つの特定の基地局が付与される。各系列の各エレメントはいずれも16進数で、4ビットの2進数（0と1）を表する。該系列群の一部又は全部の系列は次のような2種類のシステムの中の少なくとも一つに用いられ、中間パイロット系列とされる。
【００７６】
システム1：離散フーリエ変換ポイント数がＮＦＦＴ＝１０２４で、送信アンテナ数がＮＴｘ＝２である。その中、各無線通信ネットワーク構成要素の全てのアンテナに対応する中間パイロットが合計288個のサブキャリアを占める。
【００７７】
システム2：離散フーリエ変換ポイント数がＮＦＦＴ＝２０４８で、送信アンテナ数がＮＴｘ＝４である。その中、各無線通信ネットワーク構成要素の全てのアンテナに対応する中間パイロットが合計576個のサブキャリアを占める。
【００７８】
以下の実施例において、サブキャリアの開始位置を−Ｎｕｓｅｄ／２に選択したのがあるが、実際の場合、当該値に限定されず、実施の需要に応じて設定することができる。
【００７９】
実施例10
表10は、長さが288である系列からなる群で、該群は合計114個の系列を含み、各系列の各エレメントいずれも16進数で、4ビットの2進数（0と1）を表し、且つハイビットは左側に、ロービットは右側に位置する。該系列は、離散フーリエ変換ポイント数がＮＦＦＴ＝２０４８で、且つ送信アンテナ数がＮＴｘ＝２のシステムに用いられて中間パイロット系列とされる。
【００８０】
以下の実施例において、サブキャリアの開始位置を−Ｎｕｓｅｄ／２に選択したのがあるが、実際は当該値に限定されず、実施の需要に応じて他の値に設定することもできる。
【００８１】
以下の実施例において、各系列群の全ての系列を特定システム、特定状況下での中間パイロット系列群としているが、系列群の一部の系列を特定システム、特定状況下での中間パイロット系列群とすることもできる。
【００８２】
以下の実施例11〜23において、ｏｆｆｓｅｔ＝０である。
【００８３】
以下の実施例11〜23において、セルインデックスと対応の中間パイロット系列群との対応関係は、Ｉ＝ｍｏｄ（ＣｅｌｌＩＤ，ＭａｘＳｅｑＮｕｍ）であるが、他の対応関係を用いることもできる。
【００８４】
以下の実施例11〜32において、系列のエレメントをサブキャリアにマッピングする際、0キャリア以外の他のキャリアにおいてΔ個のサブキャリア毎に一つの系列のエレメントをマッピングするようにしているが、他のマッピング方式、例えば、非等間隔方式によって系列のエレメントをサブキャリアにマッピングすることもでき、系列の夫々のエレメントが異なるサブキャリアにマッピングされればよい。
【００８５】
実施例11
Cell ID=32のセルの場合、用いられる離散フーリエ変換ポイント数がＮＦＦＴ＝５１２で、且つダウンリンクにて二つの送信アンテナを用いて、対応する中間パイロット系列は表3におけるインデックスがＩ＝ｍｏｄ（３２，７６８）＝３２である系列である。
【００８６】
その中、システムの利用可能なサブキャリア数がＮｕｓｅｄ＝４３２（直流サブキャリアとシステム帯域幅の両側のガードバンドを除く）で、各アンテナの隣り合うパイロットの間隔がΔ＝２であると、アンテナ1に対応する中間パイロットOFDMシンボルは、インデックスが［−２１６：２：−２，１：２：２１５］であるサブキャリアにインデックスが32である系列の各2進数エレメントを順に変調する。アンテナ2に対応する中間パイロットOFDMシンボルは、インデックスが［−２１５：２：−１，２：２：２１６］であるサブキャリアにインデックスが32である系列の各2進数エレメントを順に変調する。系列の各エレメントの変調において、0であると信号1に変調し、1であると信号−1に変調する。
【００８７】
中間パイロットの送信
図2は、本発明の実施例に係わる第1種類の二つの送信アンテナの中間パイロットシンボルの周波数領域におけるサブキャリアを示す図である。図3は、本発明の実施例に係わる四つの送信アンテナの中間パイロットシンボルの周波数領域におけるサブキャリアを示す図である。図4は、本発明の実施例に係わる八個の送信アンテナの中間パイロットシンボルの周波数領域におけるサブキャリアを示す図である。図5は、本発明の実施例に係わる第2種類の二つの送信アンテナの中間パイロットシンボルの周波数領域におけるサブキャリアを示す図である。図6は、本発明の実施例に係わる第2種類の四つの送信アンテナの中間パイロットシンボルの周波数領域におけるサブキャリアを示す図である。図7は、本発明の実施例に係わる第2種類の八個の送信アンテナの中間パイロットシンボルの周波数領域におけるサブキャリアを示す図である。
【００８８】
【数１９】
0005663012.tif 000020
【００８９】
基地局は、中間パイロット伝送用のOFDMＡ又はOFDMシンボルにおいて、変調された中間パイロット系列を各送信アンテナに対応する中間パイロットサブキャリアの合併集合の中の中間パイロットサブキャリアにマッピングし、又は、基地局は、中間パイロット伝送用のOFDMＡ又はOFDMシンボルにおいて、中間パイロット系列を各送信アンテナに対応する中間パイロットサブキャリアの合併集合の中の中間パイロットサブキャリアにマッピングし、その後、サブキャリア上のデータを変調する。
【００９０】
本発明に開示された中間パイロットの送信方法によると、パイロットシンボルの周波数領域における周期性を避けることができ、ユーザデータのダウンリンク性能を向上できる。
【００９１】
実施例12
Cell ID = 32である基地局の場合、用いられる離散フーリエ変換ポイント数がＮＦＦＴ＝５１２で、且つダウンリンクにて四つの送信アンテナを用いていると、対応する中間パイロット系列は表2におけるインデックスがＩ＝ｍｏｄ（３２，７６８）＝３２の系列である。
【００９２】
その中、システムにおける中間パイロット系列伝送用として利用可能なサブキャリア数はＮｕｓｅｄ＝４３２（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−２１６：４：−４，１：４：２１３］であるサブキャリアにインデックスが32である系列を変調し（図3に示す）、アンテナ2に対応する中間パイロットOFDMシンボルは、インデックスが［−２１５：４：−３，２：４：２１４］であるサブキャリアにインデックスが32である系列を変調し、アンテナ3に対応する中間パイロットOFDMシンボルは、インデックスが［−２１４：４：−２，３：４：２１５］であるサブキャリアにインデックスが32である系列を変調し、アンテナ4に対応する中間パイロットOFDMシンボルはインデックスが［−２１３：４：−１，４：４：２１６］であるサブキャリアにインデックスが32である系列を変調する。
【００９３】
上記の処理に用いられた変調方法は、系列の各エレメントが0であると信号1に変調し、1であると信号−1に変調する。
【００９４】
実施例13
Cell ID=32であるセルの場合、用いられる離散フーリエ変換ポイント数がＮＦＦＴ＝５１２で、且つダウンリンクにて八個の送信アンテナを用いていると、対応する中間パイロット系列は表1におけるインデックスがＩ＝ｍｏｄ（３２，７６８）＝３２の系列である。
【００９５】
その中、システムにおける中間パイロット系列伝送用として利用可能なサブキャリア数がＮｕｓｅｄ＝４３２（直流サブキャリアとシステム帯域幅両側のガードバンドを除く）で、各アンテナの隣り合うパイロットの間隔がΔ＝８であると、アンテナ1に対応する中間パイロットOFDMシンボルは、インデックスが［−２１６：８：−８，１：８：２０９］であるサブキャリアにインデックスが32である系列の各2進数エレメントを順に変調し、アンテナ2に対応する中間パイロットOFDMシンボルは、インデックスが［−２１５：８：−７，２：８：２１０］であるサブキャリアにインデックスが32である系列の各2進数エレメントを順に変調し、アンテナ3に対応する中間パイロットOFDMシンボルは、インデックスが［−２１４：８：−６，３：８：２１１］であるサブキャリアにてインデックスが32である系列の各2進数エレメントを順に変調し、アンテナ4に対応する中間パイロットOFDMシンボルは、インデックスが［−２１３：８：−５，４：８：２１２］であるサブキャリアにインデックスが32である系列の各2進数エレメントを順に変調し、アンテナ1に対応する中間パイロットOFDMシンボルは、インデックスが［−２１２：８：−４，５：８：２１３］であるサブキャリアにインデックスが32の系列の各2進数エレメントを順に変調し、アンテナ2に対応する中間パイロットOFDMシンボルは、インデックスが［−２１１：８：−３，６：８：２１４］であるサブキャリアにてインデックスが32の系列の各2進数エレメントを順に変調し、アンテナ3に対応する中間パイロットOFDMシンボルは、インデックスが［−２１０：８：−２，７：８：２１５］であるサブキャリアにてインデックスが32の系列の各2進数エレメントを順に変調し、アンテナ4に対応する中間パイロットOFDMシンボルは、インデックスが［−２０９：８：−１，８：８：２１６］であるサブキャリアにてインデックスが32の系列の各2進数エレメントを順に変調する。
【００９６】
上記の処理に用いられた変調方法は、系列の各エレメントが0であると信号1に変調し、1であると信号−1に変調する。
【００９７】
実施例14
任意の一つのCell IDのセル、例えばCell ID=78であるセルの場合、用いられる離散フーリエ変換ポイント数がＮＦＦＴ＝１０２４で、且つダウンリンクにて二つの送信アンテナを用いていると、対応する中間パイロット系列は表4におけるインデックスがＩ＝ｍｏｄ（７８，７６８）＝７８の系列である。
【００９８】
その中、システムの利用可能のサブキャリア数がＮｕｓｅｄ＝８６４（直流サブキャリアとシステム帯域幅両側のガードバンドを除く）で、各アンテナの隣り合うパイロットの間隔がΔ＝２であると、アンテナ1に対応する中間パイロットOFDMシンボルは、インデックスが［−４３２：２：−２，１：２：４３１］であるサブキャリアにてインデックスが78の系列の各2進数エレメントを順に変調し、アンテナ2に対応する中間パイロットOFDMシンボルは、インデックスが［−４３１：２：−１，２：２：４３２］であるサブキャリアにてインデックスが78の系列の各2進数エレメントを順に変調する。
【００９９】
上記の処理に用いられた変調方法は、系列の各エレメントが0であると信号1に変調し、1であると信号−1に変調する。
【０１００】
実施例15
任意の一つのCell IDのセル、例えばCell ID=368であるセルの場合、用いられる離散フーリエ変換ポイント数がＮＦＦＴ＝１０２４で、且つダウンリンクにて四つの送信アンテナを用いていると、対応する中間パイロット系列は表3におけるインデックスがＩ＝ｍｏｄ（７９４，７６８）＝２６の系列である。
【０１０１】
その中、システムにおける利用可能のサブキャリア数がＮｕｓｅｄ＝８６４（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−４３２：４：−４，１：４：４２９］であるサブキャリアにてインデックスが26の系列を変調し、アンテナ2に対応する中間パイロットOFDMシンボルは、インデックスが［−４３１：４：−３，２：４：４３０］であるサブキャリアにてインデックスが26の系列の各2進数エレメントを順に変調し、アンテナ3に対応する中間パイロットOFDMシンボルは、インデックスが［−４３０：４：−２，３：４：４３１］であるサブキャリアにてインデックスが26の系列の各2進数エレメントを順に変調し、アンテナ4に対応する中間パイロットOFDMシンボルは、インデックスが［−４２９：４：−１，４：４：４３２］であるサブキャリアにてインデックスが26の系列の各2進数エレメントを順に変調する。
【０１０２】
上記の処理に用いられた変調方法は、系列の各エレメントが0であると信号1に変調し、1であると信号−1に変調する。
【０１０３】
実施例16
任意一つのCell IDの基地局、例えばCell ID=78である基地局の場合、用いられる離散フーリエ変換ポイント数がＮＦＦＴ＝１０２４で、且つダウンリンクにて八個の送信アンテナを用いていると、対応する中間パイロット系列は表2におけるインデックスがＩ＝ｍｏｄ（７９４，７６８）＝７８の系列である。
【０１０４】
その中、システムの利用可能のサブキャリア数はＮｕｓｅｄ＝８６４（直流サブキャリアとシステム帯域幅両側のガードバンドを除く）で、各アンテナの隣り合うパイロットの間隔がΔ＝８であると、アンテナ1に対応する中間パイロットOFDMシンボルは、インデックスが［−４３２：８：−８，１：８：４２５］であるサブキャリアにてインデックスが78の系列の各2進数エレメントを順に変調し、アンテナ2に対応する中間パイロットOFDMシンボルは、インデックスが［−４３１：８：−７，２：８：４２６］であるサブキャリアにてインデックスが78の系列の各2進数エレメントを順に変調し、アンテナ3に対応する中間パイロットOFDMシンボルは、インデックスが［−４３０：８：−６，３：８：４２７］であるサブキャリアにてインデックスが78の系列の各2進数エレメントを順に変調し、アンテナ4に対応する中間パイロットOFDMシンボルは、インデックスが［−４２９：８：−５，４：８：４２８］であるサブキャリアにてインデックスが78の系列の各2進数エレメントを順に変調し、アンテナ5に対応する中間パイロットOFDMシンボルは、インデックスが［−４２８：８：−４，５：８：４２９］であるサブキャリアにてインデックスが78の系列の各2進数エレメントを順に変調し、アンテナ6に対応する中間パイロットOFDMシンボルは、インデックスが［−４２７：８：−３，６：８：４３０］であるサブキャリアにてインデックスが78の系列の各2進数エレメントを順に変調し、アンテナ7に対応する中間パイロットOFDMシンボルは、インデックスが［−４２６：８：−２，７：８：４３１］であるサブキャリアにてインデックスが78の系列の各2進数エレメントを順に変調し、アンテナ8に対応する中間パイロットOFDMシンボルは、インデックスが［−４２５：８：−１，８：８：４３２］であるサブキャリアにてインデックスが78の系列の各2進数エレメントを変調する。
【０１０５】
上記の処理に用いられた変調方法は、系列の各エレメントが0であると信号1に変調し、1であると信号−1に変調する。
【０１０６】
実施例17
任意一つのCell IDの基地局、例えばCell ID=78である基地局の場合、用いられる離散フーリエ変換ポイント数がＮＦＦＴ＝２０４８で、且つダウンリンクにて二つの送信アンテナを用いていると、対応する中間パイロット系列は表5におけるインデックスがＩ＝ｍｏｄ（７８，７６８）＝７８の系列である。
【０１０７】
その中、システムの利用可能のサブキャリア数がＮｕｓｅｄ＝１７２８（直流サブキャリアとシステム帯域幅両側のガードバンドを除く）で、各アンテナの隣り合うパイロット間隔がΔ＝２であると、アンテナ1に対応する中間パイロットOFDMシンボルは、インデックスが［−８６４：２：−２，１：２：８６３］であるサブキャリアにてインデックスが78の系列の各2進数エレメントを順に変調し、アンテナ2に対応する中間パイロットOFDMシンボルは、インデックスが［−８６３：２：−１，２：２：８６４］であるサブキャリアにてインデックスが78である系列の各2進数エレメントを順に変調する。
【０１０８】
上記の処理に用いられた変調方法は、系列の各エレメントが0であると信号1に変調し、1であると信号−1に変調する。
【０１０９】
実施例18
任意一つのCell IDのセル、例えばCell ID=368であるセルの場合、用いられる離散フーリエ変換ポイント数がＮＦＦＴ＝２０４８で、且つダウンリンクにて四つの送信アンテナを用いていると、対応する中間パイロット系列は表4におけるインデックスがＩ＝ｍｏｄ（７９４，７６８）＝２６の系列である。
【０１１０】
その中、システムの利用可能のサブキャリア数はＮｕｓｅｄ＝１７２８（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−８６４：４：−４，１：４：８６１］であるサブキャリアにて、インデックスが26である系列を変調し、アンテナ2に対応する中間パイロットOFDMシンボルは、インデックスが［−８６３：４：−３，２：４：８６２］であるサブキャリアにて、インデックスが26である系列の各2進数エレメントを順に変調し、アンテナ3に対応する中間パイロットOFDMシンボルは、インデックスが［−８６２：４：−２，３：４：８６３］であるサブキャリアにてインデックスが26である系列の各2進数エレメントを順に変調し、アンテナ4に対応する中間パイロットOFDMシンボルは、インデックスが［−８６１：４：−１，４：４：８６４］であるサブキャリアにて、インデックスが26である系列の各2進数エレメントを順に変調する。
【０１１１】
上記の処理に用いられた変調方法は、系列の各エレメントが0であると信号1に変調し、1であると信号−1に変調する。
【０１１２】
実施例19
任意一つのCell IDのセル、例えばCell ID=368であるセルの場合、用いられる離散フーリエ変換ポイント数がＮＦＦＴ＝２０４８で、且つダウンリンクにて八個の送信アンテナを用いていると、対応する中間パイロット系列は表3におけるインデックスがＩ＝ｍｏｄ（７９４，７６８）＝２６の系列である。
【０１１３】
その中、システムの利用可能のサブキャリア数はＮｕｓｅｄ＝１７２８（直流サブキャリアとシステム帯域幅両側のガードバンドを除く）で、各アンテナの隣り合うパイロットの間隔がΔ＝８であると、アンテナ1に対応する中間パイロットOFDMシンボルは、インデックスが［−８６４：８：−８，１：８：８５７］であるサブキャリアにて、インデックスが26である系列を変調し、アンテナ2に対応する中間パイロットOFDMシンボルは、インデックスが［−８６３：８：−７，２：８：８５８］であるサブキャリアにて、インデックスが26である系列の各2進数エレメントを順に変調し、アンテナ3に対応する中間パイロットOFDMシンボルは、インデックスが［−８６２：８：−６，３：８：８５９］であるサブキャリアにて、インデックスが26である系列の各2進数エレメントを順に変調し、アンテナ4に対応する中間パイロットOFDMシンボルは、インデックスが［−８６１：８：−５，４：８：８６０］であるサブキャリアにて、インデックスが26である系列の各2進数エレメントを順に変調し、アンテナ5に対応する中間パイロットOFDMシンボルは、インデックスが［−８６０：８：−４，５：８：８６１］であるサブキャリアにて、インデックスが26である系列を変調し、アンテナ6に対応する中間パイロットOFDMシンボルは、インデックスが［−８５９：８：−３，６：８：８６２］であるサブキャリアにて、インデックスが26である系列の各2進数エレメントを順に変調し、アンテナ7に対応する中間パイロットOFDMシンボルは、インデックスが［−８５８：８：−２，７：８：８６３］であるサブキャリアにて、インデックスが26である系列の各2進数エレメントを順に変調し、アンテナ8に対応する中間パイロットOFDMシンボルは、インデックスが［−８５７：８：−１，８：８：８６４］であるサブキャリアにて、インデックスが26である系列の各2進数エレメントを順に変調する。
【０１１４】
上記の処理に用いられた変調方法は、系列の各エレメントが0であると信号1に変調し、1であると信号−1に変調する。
【０１１５】
実施例20
任意一つのCell IDのセル、例えばCell ID=368であるセルの場合、用いられる離散フーリエ変換ポイント数がＮＦＦＴ＝５１２で、且つダウンリンクにて二つの送信アンテナが用いられていると、対応する中間パイロット系列は表2におけるインデックスがＩ＝ｍｏｄ（７９４，７６８）＝２６の系列である。
【０１１６】
その中、システムの利用可能のサブキャリア数はＮｕｓｅｄ＝４３２（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−２１６：４：−４，１：４：２１３］であるサブキャリアにて、インデックスが26である系列の各2進数エレメントを順に変調し、アンテナ2に対応する中間パイロットOFDMシンボルは、インデックスが［−２１５：４：−３，２：４：２１４］であるサブキャリアにて、インデックスが26である系列の各2進数エレメントを順に変調する。
【０１１７】
上記の処理に用いられた変調方法は、系列の各エレメントが0であると信号1に変調し、1であると信号−1に変調する。
【０１１８】
実施例21
任意一つのCell IDのセル、例えばCell ID=368であるセルの場合、用いられる離散フーリエ変換ポイント数がＮＦＦＴ＝１０２４で、且つダウンリンクにて二つの送信アンテナが用いられていると、対応する中間パイロット系列は表3におけるインデックスがＩ＝ｍｏｄ（７９４，７６８）＝２６の系列である。
【０１１９】
その中、システムの利用可能のサブキャリア数はＮｕｓｅｄ＝８６４（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−４３２：４：−４，１：４：４２９］であるサブキャリアにて、インデックスが26である系列の各2進数エレメントを順に変調し、アンテナ2に対応する中間パイロットOFDMシンボルは、インデックスが［−４３１：４：−３，２：４：４３０］であるサブキャリアにて、インデックスが26である系列の各2進数エレメントを順に変調する。
【０１２０】
上記の処理に用いられた変調方法は、系列の各エレメントが0であると信号1に変調し、1であると信号−1に変調する。
【０１２１】
実施例22
任意一つのCell IDのセル、例えばCell ID=368であるセルの場合、用いられる離散フーリエ変換ポイント数はＮＦＦＴ＝２０４８で、且つダウンリンクにて二つの送信アンテナを用いていると、対応する中間パイロット系列は表4におけるインデックスがＩ＝ｍｏｄ（７９４，７６８）＝２６の系列である。
【０１２２】
その中、システムの利用可能のサブキャリア数はＮｕｓｅｄ＝１７２８（直流サブキャリアとシステム帯域幅両側のガードバンドを除く）で、各アンテナの隣り合うパイロットの間隔がΔ＝４であると、アンテナ1に対応する中間パイロットOFDMシンボルは、インデックスが［−８６４：４：−４，１：４：８６１］であるサブキャリアにて、インデックスが26である系列の各2進数エレメントを順に変調し、アンテナ2に対応する中間パイロットOFDMシンボルは、インデックスが［−８６３：４：−３，２：４：８６２］であるサブキャリアにて、インデックスが26である系列の各2進数エレメントを順に変調する。
【０１２３】
上記の処理に用いられた変調方法は、系列の各エレメントが0であると信号1に変調し、1であると信号−1に変調する。
【０１２４】
実施例23
任意一つのCell IDのセル、例えばCell ID=368であるセルの場合、用いられる離散フーリエ変換ポイント数はＮＦＦＴ＝２０４８で、且つダウンリンクにて二つの送信アンテナを用いていると、対応する中間パイロット系列は表5におけるインデックスがＩ＝ｍｏｄ（７９４，７６８）＝２６の系列である。
【０１２５】
その中、システムの利用可能のサブキャリア数がＮｕｓｅｄ＝１７２８（直流サブキャリアとシステム帯域幅両側のガードバンドを除く）で、各アンテナの隣り合うパイロットの間隔がΔ＝２であると、アンテナ1に対応する中間パイロットOFDMシンボルは、インデックスが［−８６４：２：−２，１：４：８６３］であるサブキャリアにて、インデックスが26である系列の各2進数エレメントを順に変調し、アンテナ2に対応する中間パイロットOFDMシンボルは、インデックスが［−８６３：２：−１，２：２：８６４］であるサブキャリアにて、インデックスが26である系列の各2進数エレメントを順に変調する。
【０１２６】
上記の処理に用いられた変調方法は、系列の各エレメントが0であると信号1に変調し、1であると信号-1に変調する。
【０１２７】
以下実施例において、各セルの全てのアンテナが占める中間パイロットサブキャリアは利用可能なサブキャリアの1/3である。
【０１２８】
実施例24
Cell IDがそれぞれ97である三つのセルの場合、用いられる離散フーリエ変換ポイント数がＮＦＦＴ＝５１２で、且つダウンリンクにて二つの送信アンテナを用いていると、対応する中間パイロット系列は表8におけるインデックスがＩ＝ｍｏｄ（［９７／３］，５１２）＝３２の系列である。
【０１２９】
その中、システムの利用可能のサブキャリア数はＮｕｓｅｄ＝４３２（直流サブキャリアとシステム帯域幅両側のガードバンドを除く）で、各アンテナの隣り合うパイロットの間隔がΔ＝６で、ｏｆｆｓｅｔ＝ｍｏｄ（９７，３）×ＮＴｘ＝２であると、CellId=97のセルのアンテナ1に対応する中間パイロットOFDMシンボルは、インデックスが［−２１４：６：−４，３：６：２１３］であるサブキャリアにて、インデックスが32である系列の各2進数エレメントを順に変調し、アンテナ2に対応する中間パイロットOFDMシンボルは、インデックスが［−２１３：６：−３，４：６：２１４］であるサブキャリアにて、インデックスが32である系列の各2進数エレメントを順に変調する。系列の各エレメントについて、0であると信号1に変調し、1であると信号−1に変調する。
【０１３０】
実施例25
Cell ID=97である基地局の場合、用いられる離散フーリエ変換ポイント数がＮＦＦＴ＝５１２で、且つダウンリンクにて四つの送信アンテナを用いていると、対応する中間パイロット系列は表7におけるインデックスがＩ＝ｍｏｄ（［９７／３］，５１２）＝３２の系列である。
【０１３１】
その中、システムにおける中間パイロット系列伝送用として利用可能のサブキャリア数がＮｕｓｅｄ＝４３２（直流サブキャリアとシステム帯域幅両側のガードバンドを除く）で、各アンテナの隣り合うパイロットの間隔がΔ＝１２で、ｏｆｆｓｅｔ＝ｍｏｄ（９７，３）×ＮＴｘ＝４であると、アンテナ1に対応する中間パイロットOFDMシンボルは、インデックスが［−２１２：１２：−８，５：１２：２０９］であるサブキャリアにて、インデックスが32である系列を変調し（図3に示す通り）、アンテナ2に対応する中間パイロットOFDMシンボルは、インデックスが［−２１１：１２：−７，６：１２：２１０］であるサブキャリアにて、インデックスが32である系列を変調し、アンテナ3に対応する中間パイロットOFDMシンボルは、インデックスが［−２１０：１２：−６，７：１２：２１１］であるサブキャリアにて、インデックスが32である系列を変調し、アンテナ4に対応する中間パイロットOFDMシンボルは、インデックスが［−２０９：１２：−５，８：１２：２１２］であるサブキャリアにて、インデックスが32である系列を変調する。
【０１３２】
上記の処理に用いられる変調方法は、系列の各エレメントが0であると、信号1に変調し、1であると信号−1に変調する。
【０１３３】
実施例26
Cell ID=97であるセルの場合、用いられる離散フーリエ変換ポイント数がＮＦＦＴ＝５１２で、且つダウンリンクにて八個の送信アンテナを用いていると、対応する中間パイロット系列は表6におけるインデックスがＩ＝ｍｏｄ（［９７／３］，５１２）＝３２の系列である。
【０１３４】
その中、システムにおける中間パイロット系列伝送用として利用可能のサブキャリア数がＮｕｓｅｄ＝４３２（直流サブキャリアとシステム帯域幅両側のガードバンドを除く）で、各アンテナの隣り合うパイロットの間隔がΔ＝２４で、ｏｆｆｓｅｔ＝ｍｏｄ（９７，３）×ＮＴｘ＝８であると、アンテナ1に対応する中間パイロットOFDMシンボルは、インデックスが［−２０８：２４：−１６，９：２４：２０１］であるサブキャリアにてインデックスが32である系列の各2進数エレメントを順に変調し、アンテナ2に対応する中間パイロットOFDMシンボルは、インデックスが［−２０７：２４：−１５，１０：２４：２０２］であるサブキャリアにて、インデックスが32である系列の各2進数エレメントを順に変調し、アンテナ3に対応する中間パイロットOFDMシンボルは、インデックスが［−２０６：２４：−１４，１１：２４：２０３］であるサブキャリアにて、インデックスが32である系列の各2進数エレメントを順に変調し、アンテナ4に対応する中間パイロットOFDMシンボルは、インデックスが［−２０５：２４：−１３，１２：２４：２０４］であるサブキャリアにて、インデックスが32である系列の各2進数エレメントを順に変調し、アンテナ1に対応する中間パイロットOFDMシンボルは、インデックスが［−２０４：２４：−１２，１３：２４：２０５］であるサブキャリアにて、インデックスが32である系列の各2進数エレメントを順に変調し、アンテナ2に対応する中間パイロットOFDMシンボルは、インデックスが［−２０３：２４：−１１，１４：２４：２０６］であるサブキャリアにて、インデックスが32である系列の各2進数エレメントを順に変調し、アンテナ3に対応する中間パイロットOFDMシンボルは、インデックスが［−２０２：２４：−１０，１５：２４：２０７］であるサブキャリアにて、インデックスが32である系列の各2進数エレメントを順に変調し、アンテナ4に対応する中間パイロットOFDMシンボルは、インデックスが［−２０１：２４：−９，１６：２４：２０８］であるサブキャリアにて、インデックスが32である系列の各2進数エレメントを順に変調する。
【０１３５】
上記の処理に用いられた変調方法は、系列の各エレメントが0であると信号1に変調し、1であると信号−1に変調する。
【０１３６】
実施例27
任意一つのCell IDのセル、例えばCell ID=236であるセルの場合、用いられる離散フーリエ変換ポイント数がＮＦＦＴ＝１０２４で、且つダウンリンクにて二つの送信アンテナを用いていると、対応する中間パイロット系列は表9におけるインデックスがＩ＝ｍｏｄ（［２３６／３］，５１２）＝７８の系列である。
【０１３７】
その中、システムの利用可能のサブキャリア数はＮｕｓｅｄ＝８６４（直流サブキャリアとシステム帯域幅両側のガードバンドを除く）で、各アンテナの隣り合うパイロットの間隔がΔ＝６で、ｏｆｆｓｅｔ＝ｍｏｄ（２３６，３）×ＮＴｘ＝４であると、アンテナ1に対応する中間パイロットOFDMシンボルは、インデックスが［−４２８：６：−２，５：６：４３１］であるサブキャリアにて、インデックスが78の系列の各2進数エレメントを順に変調し、アンテナ2に対応する中間パイロットOFDMシンボルは、インデックスが［−４２７：６：−１，６：６：４３２］であるサブキャリアにて、インデックスが78の系列の各2進数エレメントを順に変調する。
【０１３８】
上記の処理に用いられた変調方法は、系列の各エレメントが0であると信号1に変調し、1であると信号-1に変調する。
【０１３９】
実施例28
任意一つのCell IDのセル、例えばCell ID=78であるセルの場合、用いられる離散フーリエ変換ポイント数がＮＦＦＴ＝１０２４で、且つダウンリンクにて四つの送信アンテナを用いていると、対応する中間パイロット系列は表8におけるインデックスがＩ＝ｍｏｄ（［７８／３］，５１２）＝２６の系列である。
【０１４０】
その中、システムの利用可能のサブキャリア数はＮｕｓｅｄ＝８６４（直流サブキャリアとシステム帯域幅両側のガードバンドを除く）で、各アンテナの隣り合うパイロット間隔がΔ＝１２で、ｏｆｆｓｅｔ＝ｍｏｄ（７８，３）×ＮＴｘ＝０であると、アンテナ1に対応する中間パイロットOFDMシンボルは、インデックスが［−４３２：１２：−１２，１：１２：４２１］であるサブキャリアにて、インデックスが26である系列を変調し、アンテナ2に対応する中間パイロットOFDMシンボルは、インデックスが［−４３１：１２：−１１，２：１２：４２２］であるサブキャリアにて、インデックスが26である系列の各2進数エレメントを順に変調し、アンテナ3に対応する中間パイロットOFDMシンボルは、インデックスが［−４３０：１２：−１０，３：１２：４２３］であるサブキャリアにて、インデックスが26である系列の各2進数エレメントを順に変調し、アンテナ4に対応する中間パイロットOFDMシンボルは、インデックスが［−４２９：１２：−９，４：１２：４２４］であるサブキャリアにて、インデックスが26である系列の各2進数エレメントを順に変調する。
【０１４１】
上記の処理に用いられた変調方法は、系列の各エレメントが0であると信号1に変調し、1であると信号−1に変調する。
【０１４２】
実施例29
任意一つのCell IDのセル、例えばCell ID=236であるセルの場合、用いられる離散フーリエ変換ポイント数がＮＦＦＴ＝１０２４で、且つダウンリンクにて八個の送信アンテナを用いていると、対応する中間パイロット系列は表7におけるインデックスがＩ＝ｍｏｄ（［２３６／３］，５１２）＝７８の系列である。
【０１４３】
その中、システムの利用可能のサブキャリア数はＮｕｓｅｄ＝８６４（直流サブキャリアとシステム帯域幅両側のガードバンドを除く）で、各アンテナの隣り合うパイロットの間隔がΔ＝２４で、ｏｆｆｓｅｔ＝ｍｏｄ（２３６，３）×ＮＴｘ＝１６であると、アンテナ1に対応する中間パイロットOFDMシンボルは、インデックスが［−４１６：２４：−８，１７：２４：４２５］であるサブキャリアにて、インデックスが78の系列の各2進数エレメントを順に変調し、アンテナ2に対応する中間パイロットOFDMシンボルは、インデックスが［−４１５：２４：−７，１８：２４：４２６］であるサブキャリアにて、インデックスが78の系列の各2進数エレメントを順に変調し、アンテナ3に対応する中間パイロットOFDMシンボルは、インデックスが［−４１４：２４：−６，１９：２４：４２７］であるサブキャリアにて、インデックスが78の系列の各2進数エレメントを順に変調し、アンテナ4に対応する中間パイロットOFDMシンボルは、インデックスが［−４１３：２４：−５，２０：２４：４２８］であるサブキャリアにて、インデックスが78の系列の各2進数エレメントを順に変調し、アンテナ5に対応する中間パイロットOFDMシンボルは、インデックスが［−４１２：２４：−４，２１：２４：４２９］であるサブキャリアにてインデックスが78の系列の各2進数エレメントを順に変調し、アンテナ6に対応する中間パイロットOFDMシンボルは、インデックスが［−４１１：２４：−３，２２：２４：４３０］であるサブキャリアにて、インデックスが78の系列の各2進数エレメントを順に変調し、アンテナ7に対応する中間パイロットOFDMシンボルは、インデックスが［−４１０：２４：−２，２３：２４：４３１］であるサブキャリアにて、インデックスが78の系列の各2進数エレメントを順に変調し、アンテナ8に対応する中間パイロットOFDMシンボルは、インデックスが［−４０９：２４：−１，２４：２４：４３２］であるサブキャリアにて、インデックスが78の系列の各2進数エレメントを順に変調する。
【０１４４】
上記の処理に用いられた変調方法は、系列の各エレメントが0であると信号1に変調し、1であると信号−1に変調する。
【０１４５】
実施例30
任意一つのCell IDの基地局、例えばCell ID=236である基地局の場合、用いられる離散フーリエ変換ポイント数がＮＦＦＴ＝２０４８で、且つダウンリンクにて二つの送信アンテナを用いていると、対応する中間パイロット系列は表10におけるインデックスがＩ＝ｍｏｄ（［２３６／３］，５１２）＝７８の系列である。
【０１４６】
その中、システムの利用可能のサブキャリア数はＮｕｓｅｄ＝１７２８（直流サブキャリアとシステム帯域幅両側のガードバンドを除く）で、各アンテナの隣り合うパイロット間隔がΔ＝６で、ｏｆｆｓｅｔ＝ｍｏｄ（２３６，３）×ＮＴｘ＝４であると、アンテナ1に対応する中間パイロットOFDMシンボルは、インデックスが［−８６０：６：−２，５：６：８６３］であるサブキャリアにて、インデックスが7８である系列の各2進数エレメントを順に変調し、アンテナ2に対応する中間パイロットOFDMシンボルは、インデックスが［−８５９：６：−１，６：６：８６４］であるサブキャリアにてインデックスが7８である系列の各2進数エレメントを順に変調する。
【０１４７】
上記の処理に用いられた変調方法は、系列の各エレメントが0であると信号1に変調し、1であると信号−1に変調する。
【０１４８】
実施例31
任意一つのCell IDのセル、例えばCell ID=78であるセルの場合、用いられる離散フーリエ変換ポイント数がＮＦＦＴ＝２０４８で、且つダウンリンクにて四つの送信アンテナを用いていると、対応する中間パイロット系列は表9におけるインデックスがＩ＝ｍｏｄ（［７８／３］，５１２）＝２６の系列である。
【０１４９】
その中、システムの利用可能のサブキャリア数はＮｕｓｅｄ＝１７２８（直流サブキャリアとシステム帯域幅両側のガードバンドを除く）で、各アンテナの隣り合うパイロット間隔がΔ＝１２で、ｏｆｆｓｅｔ＝ｍｏｄ（７８，３）×ＮＴｘ＝０であると、アンテナ1に対応する中間パイロットOFDMシンボルは、インデックスが［−８６４：１２：−１２，１：１２：８５３］であるサブキャリアにて、インデックスが26である系列を変調し、アンテナ2に対応する中間パイロットOFDMシンボルは、インデックスが［−８６３：１２：−１１，２：１２：８５４］であるサブキャリアにて、インデックスが26である系列の各2進数エレメントを順に変調し、アンテナ3に対応する中間パイロットOFDMシンボルは、インデックスが［−８６２：１２：−１０，３：１２：８５５］であるサブキャリアにて、インデックスが26である系列の各2進数エレメントを順に変調し、アンテナ4に対応する中間パイロットOFDMシンボルは、インデックスが［−８６１：１２：−９，３：１２：８５６］であるサブキャリアにて、インデックスが26である系列の各2進数エレメントを順に変調する。
【０１５０】
上記の処理に用いられた変調方法は、系列の各エレメントが0であると信号1に変調し、1であると信号−1に変調する。
【０１５１】
実施例32
任意一つのCell IDのセル、例えばCell ID=78であるセルの場合、用いられる離散フーリエ変換ポイント数がＮＦＦＴ＝２０４８で、且つダウンリンクにて八個の送信アンテナを用いていると、対応する中間パイロット系列は表3におけるインデックスがＩ＝ｍｏｄ（［７８／３］，５１２）＝２６の系列である。
【０１５２】
その中、システムの利用可能のサブキャリア数はＮｕｓｅｄ＝１７２８（直流サブキャリアとシステム帯域幅両側のガードバンドを除く）で、各アンテナの隣り合うパイロットの間隔がΔ＝２４で、ｏｆｆｓｅｔ＝ｍｏｄ（７８，３）×ＮＴｘ＝０であると、アンテナ1に対応する中間パイロットOFDMシンボルは、インデックスが［−８６４：２４：−２４，１：２４：８４１］であるサブキャリアにて、インデックスが26である系列を変調し、アンテナ2に対応する中間パイロットOFDMシンボルは、インデックスが［−８６３：２４：−２３，２：２４：８４２］であるサブキャリアにて、インデックスが26である系列の各2進数エレメントを順に変調し、アンテナ3に対応する中間パイロットOFDMシンボルは、インデックスが［−８６２：２４：−２２，３：２４：８４３］であるサブキャリアにて、インデックスが26である系列の各2進数エレメントを順に変調し、アンテナ4に対応する中間パイロットOFDMシンボルは、インデックスが［−８６１：２４：−２１，４：２４：８４４］であるサブキャリアにて、インデックスが26である系列の各2進数エレメントを順に変調し、アンテナ5に対応する中間パイロットOFDMシンボルは、インデックスが［−８６０：２４：−２０，４：２４：８４５］であるサブキャリアにて、インデックスが26である系列を変調し、アンテナ6に対応する中間パイロットOFDMシンボルは、インデックスが［−８５９：２４：−１９，５：２４：８４６］であるサブキャリアにて、インデックスが26である系列各2進数エレメントを順に変調し、アンテナ7に対応する中間パイロットOFDMシンボルは、インデックスが［−８５８：２４：−１８，６：２４：８４７］であるサブキャリアにて、インデックスが26である系列の各2進数エレメントを順に変調し、アンテナ8に対応する中間パイロットOFDMシンボルは、インデックスが［−８５７：２４：−１７，８：２４：８４８］であるサブキャリアにて、インデックスが26である系列の各2進数エレメントを順に変調する。
【０１５３】
上記の処理に用いられた変調方法は、系列の各エレメントが0であると信号1に変調し、1であると信号−1に変調する。
【０１５４】
以下の実施例で、無線通信ネットワーク構成要素インデックスの中間パイロットの、特定の系列群のサブ群におけるインデックスを説明する。
【０１５５】
実施例33
無線通信ネットワーク構成要素の全ての送信アンテナが占める中間パイロットサブキャリア個数の合計はＮｕｓｅｄに等しく、セルインデックスがCell IDであるセルの中間パイロット系列の、特定の系列群又はそのサブ群におけるインデックスはＩ＝ｆ（ＣｅｌｌＩＤ，ＭａｘＳｅｑＮｕｍ）＝ｍｏｄ（ＣｅｌｌＩＤ，ＭａｘＳｅｑＮｕｍ）である。
【０１５６】
実施例34
無線通信ネットワーク構成要素の全ての送信アンテナが占める中間パイロットサブキャリア個数の合計はＮｕｓｅｄ／３に等しく、セルインデックスがCell IDであるセルの中間パイロット系列の、特定の系列群又はそのサブ群におけるインデックスは
Ｉ＝ｆ（ＣｅｌｌＩＤ，ＭａｘＳｅｑＮｕｍ）＝ｍｏｄ（［ＣｅｌｌＩＤ／３］，ＭａｘＳｅｑＮｕｍ）であって、
且つ対応する中間パイロットサブキャリアのオフセット量はｏｆｆｓｅｔ＝ｍｏｄ（ＣｅｌｌＩＤ，３）＊ＮＴｘである。
【０１５７】
実施例35
無線通信ネットワーク構成要素の全ての送信アンテナが占める中間パイロットサブキャリアの個数の合計はＮｕｓｅｄに等しく、セルインデックスがCell IDであるセルの中間パイロット系列の、特定の系列群又はそのサブ群におけるインデックスは、Ｉ＝ｆ（ＣｅｌｌＩＤ，ＭａｘＳｅｑＮｕｍ）＝ｍｏｄ（３＊ＣｅｌｌＩＤ＋ＳｅｇｍｅｎｔＩＤ，ＭａｘＳｅｑＮｕｍ）である。
【表１】
0005663012.tif 000021
0005663012.tif 000022
0005663012.tif 000023
0005663012.tif 000024
0005663012.tif 000025
0005663012.tif 000026
0005663012.tif 000027
【表２】
0005663012.tif 000028
0005663012.tif 000029
0005663012.tif 000030
0005663012.tif 000031
0005663012.tif 000032
0005663012.tif 000033
0005663012.tif 000034
0005663012.tif 000035
0005663012.tif 000036
0005663012.tif 000037
0005663012.tif 000038
0005663012.tif 000039
【表３】
0005663012.tif 000040
0005663012.tif 000041
0005663012.tif 000042
0005663012.tif 000043
0005663012.tif 000044
0005663012.tif 000045
0005663012.tif 000046
0005663012.tif 000047
0005663012.tif 000048
0005663012.tif 000049
0005663012.tif 000050
0005663012.tif 000051
0005663012.tif 000052
0005663012.tif 000053
【表４】
0005663012.tif 000054
0005663012.tif 000055
0005663012.tif 000056
0005663012.tif 000057
0005663012.tif 000058
0005663012.tif 000059
0005663012.tif 000060
0005663012.tif 000061
0005663012.tif 000062
0005663012.tif 000063
0005663012.tif 000064
0005663012.tif 000065
0005663012.tif 000066
0005663012.tif 000067
0005663012.tif 000068
0005663012.tif 000069
0005663012.tif 000070
0005663012.tif 000071
0005663012.tif 000072
0005663012.tif 000073
0005663012.tif 000074
0005663012.tif 000075
0005663012.tif 000076
0005663012.tif 000077
0005663012.tif 000078
0005663012.tif 000079
0005663012.tif 000080
【表５】
0005663012.tif 000081
0005663012.tif 000082
0005663012.tif 000083
0005663012.tif 000084
0005663012.tif 000085
0005663012.tif 000086
0005663012.tif 000087
0005663012.tif 000088
0005663012.tif 000089
0005663012.tif 000090
0005663012.tif 000091
0005663012.tif 000092
0005663012.tif 000093
0005663012.tif 000094
0005663012.tif 000095
0005663012.tif 000096
0005663012.tif 000097
0005663012.tif 000098
0005663012.tif 000099
0005663012.tif 000100
0005663012.tif 000101
0005663012.tif 000102
0005663012.tif 000103
0005663012.tif 000104
0005663012.tif 000105
0005663012.tif 000106
0005663012.tif 000107
0005663012.tif 000108
0005663012.tif 000109
0005663012.tif 000110
0005663012.tif 000111
0005663012.tif 000112
0005663012.tif 000113
0005663012.tif 000114
0005663012.tif 000115
0005663012.tif 000116
0005663012.tif 000117
0005663012.tif 000118
0005663012.tif 000119
0005663012.tif 000120
0005663012.tif 000121
0005663012.tif 000122
0005663012.tif 000123
0005663012.tif 000124
0005663012.tif 000125
0005663012.tif 000126
0005663012.tif 000127
0005663012.tif 000128
0005663012.tif 000129
0005663012.tif 000130
0005663012.tif 000131
【表６】
0005663012.tif 000132
0005663012.tif 000133
0005663012.tif 000134
0005663012.tif 000135
0005663012.tif 000136
【表７】
0005663012.tif 000137
0005663012.tif 000138
0005663012.tif 000139
【表８】
0005663012.tif 000140
0005663012.tif 000141
0005663012.tif 000142
0005663012.tif 000143
0005663012.tif 000144
【表９】
0005663012.tif 000145
0005663012.tif 000146
0005663012.tif 000147
0005663012.tif 000148
0005663012.tif 000149
【表１０】
0005663012.tif 000150
0005663012.tif 000151
0005663012.tif 000152
0005663012.tif 000153
0005663012.tif 000154
0005663012.tif 000155
0005663012.tif 000156
0005663012.tif 000157
0005663012.tif 000158
0005663012.tif 000159
0005663012.tif 000160
0005663012.tif 000161
0005663012.tif 000162
0005663012.tif 000163
0005663012.tif 000164
0005663012.tif 000165
0005663012.tif 000166
【０１５８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005663012.tif 000178
【図２】
0005663012.tif 000179
【図３】
0005663012.tif 000180
【図４】
0005663012.tif 000181
【図５】
0005663012.tif 000182
【図６】
0005663012.tif 000183
【図７】
0005663012.tif 000184